(57)【要約】【課題】燃焼排ガス中のＣＯ2又はＨ2Ｓの除去速度が飛躍的に向上させて、除去効率を向上させることができる吸収液、該吸収液を用いたＣＯ2又はＨ2Ｓ除去装置及び方法を提供する。【解決手段】本発明にかかる吸収液は、例えば火力発電所等の動力発生設備から排出される排ガス中のＣＯ2又はＨ2Ｓを吸収する吸収液が、１級のアミノ基を持つ直鎖又は環状のアミン化合物、２級のアミノ基を持つ直鎖又は環状のアミン化合物の内から選択される三種以上のアミン化合物を含むものであり、これらの混合による相乗効果によってＣＯ2又はＨ2Ｓを吸収する吸収速度の向上を図ることとなる。【選択図】        図１
2008307519.tif 000002
【特許請求の範囲】
【請求項１】
ガス中のＣＯ2又はＨ2Ｓを吸収する吸収液が、１級のアミノ基を持つ直鎖又は環状のアミン化合物、２級のアミノ基を持つ直鎖又は環状のアミン化合物の内から選択される三種以上のアミン化合物を含むことを特徴とする吸収液。
【請求項２】
請求項１において、
三種のアミン化合物が、１級のアミノ基を持つ直鎖のアミン化合物又は２級のアミノ基を持つ直鎖のアミン化合物から選ばれる二種のアミン化合物と、１級又は２級のアミノ基を持つ環状のアミン化合物とを含むことを特徴とする吸収液。
【請求項３】
請求項１において、
三種のアミン化合物が、１級のアミノ基を持つ直鎖のアミン化合物から選ばれる一つの化合物、２級のアミノ基を持つ直鎖のアミン化合物から選ばれる一つの化合物からなる二種のアミン化合物と、１級又は２級のアミノ基を持つ環状のアミン化合物とを含むことを特徴とする吸収液。
【請求項４】
請求項１において、
三種のアミン化合物が、２級のアミノ基を持つ直鎖のアミン化合物とから選ばれる二種のアミン化合物と、１級又は２級のアミノ基を持つ環状のアミン化合物とを含むことを特徴とする吸収液。
【請求項５】
請求項１において、
三種のアミン化合物の配合割合が、
主成分として２−ｎ−ブチルアミノエタノール（ｎ−ＢＡＥ）又は２−エチルアミノエタノール（ＥＡＥ）を用い、その割合が３０〜５５重量％、
副成分として１級のアミノ基を持つ直鎖又は環状のアミン化合物、２級のアミノ基を持つ直鎖又は環状のアミン化合物から選ばれる二種のアミン化合物を用い、その割合が１〜３０重量％、残りが水であることを特徴とする吸収液。
【請求項６】
請求項５において、
二種のアミン化合物が、
第１の副成分として１級のアミノ基を持つ直鎖又は環状のアミン化合物を用い、その割合が１５〜５重量％、
第２の副成分として２級のアミノ基を持つ直鎖又は環状のアミン化合物から選ばれる二種のアミン化合物を用い、その割合が１０〜１重量％、残りが水であることを特徴とする吸収液。
【請求項７】
請求項５又は６において、
二種のアミン化合物が、ピペラジン（Ｐ）、メチルピペラジン（ＭＰ）、ヒドロキシエチルピペラジン(ＨＥＰ)、モノエタノールアミン（ＭＥＡ）、ジエタノールアミン（ＤＥＡ）、ジイソプロパノールアミン（ＤＩＰＡ）、ジグリコールアミン（ＤＧＡ）、３−アミノ−１−プロパノール（ＡＰ）、２−アミノ２−メチルプロパノール（ＡＭＰ）、２−メチルアミノエタノール（ＭＡＥ）、２−エチルアミノエタノール（ＥＡＥ）、２−ｎ−プロピルアミノエタノール（ｎ−ＰＡＥ）、２−ｎ−ブチルアミノエタノール（ｎ−ＢＡＥ）、２−イソプロピルアミノエタノール(ｉ−ＰＡＥ)、２−イソブチルアミノエタノール（ｉ-ＢＡＥ）、１−（２−アミノエチル）ピペラジン（ＡＥＰＲＺ）、ピペリジノール（ＰＤＮ）のいずれかより選ばれる二種であることを特徴とする吸収液。
【請求項８】
ＣＯ2又はＨ2Ｓを含有するガスと吸収液とを接触させて前記ＣＯ2又はＨ2Ｓを除去する吸収塔と、
ＣＯ2又はＨ2Ｓを吸収した溶液を再生する再生塔と、
前記再生塔でＣＯ2又はＨ2Ｓを除去して再生した溶液を前記吸収塔で再利用するガス中のＣＯ2又はＨ2Ｓ除去装置であって、
請求項１乃至６のいずれか一つの吸収液を用いてなることを特徴とするＣＯ2又はＨ2Ｓ除去装置。
【請求項９】
ＣＯ2又はＨ2Ｓを含有するガスと吸収液とを接触させて前記ＣＯ2又はＨ2Ｓを除去する吸収塔と、
ＣＯ2又はＨ2Ｓを吸収した溶液を再生する再生塔と、
前記再生塔でＣＯ2又はＨ2Ｓを除去して再生した溶液を前記吸収塔で再利用するガス中のＣＯ2又はＨ2Ｓ除去方法であって、
請求項１乃至６のいずれか一つの吸収液を用いてなることを特徴とするＣＯ2又はＨ2Ｓ除去方法。
【発明の詳細な説明】
【技術分野】
【０００１】
本発明は燃焼排ガス等のガス中に含まれるＣＯ2 （二酸化炭素）又はＨ2Ｓ（硫化水素）を除去する吸収液、該吸収液を用いたＣＯ2又はＨ2Ｓ除去装置及び方法に関する。
【背景技術】
【０００２】
近年、地球の温暖化現象の原因の一つとして、ＣＯ2 による温室効果が指摘され、地球環境を守る上で国際的にもその対策が急務となってきた。ＣＯ2 の発生源としては、化石燃料を燃焼させるあらゆる人間の活動分野に及び、その排出抑制への要求が一層強まる傾向にある。これに伴い大量の化石燃料を使用する火力発電所などの動力発生設備を対象に、ボイラの燃焼排ガスをアルカノールアミン水溶液等と接触させ、燃焼排ガス中のＣＯ2 を除去し、回収する方法、及び回収されたＣＯ2 を大気へ放出することなく貯蔵する方法が精力的に研究されている。また、前記アルカノールアミン水溶液はＣＯ2 （二酸化炭素）以外にＨ2Ｓ（硫化水素）等の酸性ガスを除去することが提案されている。
【０００３】
前記アルカノールアミンとしては、モノエタノールアミン（ＭＥＡ）、トリエタノールアミン（ＴＥＡ）、Ｎ−メチルジエタノールアミン（ＭＤＥＡ）、ジイソプロパノールアミン（ＤＩＰＡ）、ジグリコールアミン（ＤＧＡ）などを挙げることができるが、通常モノエタノールアミン（ＭＥＡ）が好んで用いられる。また、これらのアルカノールアミンに吸収助剤として例えばピペラジン等の環状アミンを用いることも提案されている（特許文献１）。
【０００４】
【特許文献１】特許第３２３３８０９号公報
【特許文献２】特開平０６−３４３８５８号公報
【特許文献３】特開平０８−２５７３５４号公報
【特許文献４】特開平０８−２５２４３０号公報
【特許文献５】特開平０６−３４３８５８号公報
【発明の開示】
【発明が解決しようとする課題】
【０００５】
しかしながら、例えば大型タービン設備等のボイラからの大量に排出される排ガス中に存在するＣＯ2又はＨ2Ｓを効率良く回収する場合には、できるだけＣＯ2又はＨ2Ｓの吸収速度が大きな吸収液が望まれている。
よって、吸収速度が大きな１級アミンを用い、これに他の成分を添加した二成分系の吸収液とすることが提案されているが（特許文献２及び３）、また２級アミンと３級アミンとの二成分系の吸収液とすることも提案されているが（特許文献４）、いずれもいまだ実用化に達していないのが現状である。
【０００６】
また、三成分系の吸収液としては、３級アミンを用いたものが提案されえているが（特許文献５）、天然ガス、重油合成ガス、石油精製ガス中に比較的多量に含まれているＣＯ2又はＨ2Ｓを吸収除去するものであり、また３級アミンはそのＣＯ2吸収速度が小さいので、例えば大型タービン設備等のボイラからの大量に排出される排ガス中に低濃度で存在するＣＯ2又はＨ2Ｓを効率良く除去するには実用性に問題がある。
【０００７】
本発明は、前記問題に鑑み、燃焼排ガス中のＣＯ2又はＨ2Ｓの除去速度が飛躍的に向上させて、除去効率を向上させることができる吸収液、該吸収液を用いたＣＯ2又はＨ2Ｓ除去装置及び方法を提供することを課題とする。
【課題を解決するための手段】
【０００８】
上述した課題を解決するための本発明の第１の発明は、ガス中のＣＯ2又はＨ2Ｓを吸収する吸収液が、１級のアミノ基を持つ直鎖又は環状のアミン化合物、２級のアミノ基を持つ直鎖又は環状のアミン化合物の内から選択される三種以上のアミン化合物を含むことを特徴とする吸収液にある。
【０００９】
第２の発明は、第１の発明において、三種のアミン化合物が、１級のアミノ基を持つ直鎖のアミン化合物又は２級のアミノ基を持つ直鎖のアミン化合物から選ばれる二種のアミン化合物と、１級又は２級のアミノ基を持つ環状のアミン化合物とを含むことを特徴とする吸収液にある。
【００１０】
第３の発明は、第１の発明において、三種のアミン化合物が、１級のアミノ基を持つ直鎖のアミン化合物から選ばれる一つの化合物、２級のアミノ基を持つ直鎖のアミン化合物から選ばれる一つの化合物からなる二種のアミン化合物と、１級又は２級のアミノ基を持つ環状のアミン化合物とを含むことを特徴とする吸収液にある。
【００１１】
第４の発明は、第１の発明において、三種のアミン化合物が、２級のアミノ基を持つ直鎖のアミン化合物とから選ばれる二種のアミン化合物と、１級又は２級のアミノ基を持つ環状のアミン化合物とを含むことを特徴とする吸収液にある。
【００１２】
第５の発明は、第１の発明において、三種のアミン化合物の配合割合が、主成分として２−ｎ−ブチルアミノエタノール（ｎ−ＢＡＥ）又は２−エチルアミノエタノール（ＥＡＥ）を用い、その割合が３０〜５５重量％、副成分として１級のアミノ基を持つ直鎖又は環状のアミン化合物、２級のアミノ基を持つ直鎖又は環状のアミン化合物から選ばれる二種のアミン化合物を用い、その割合が１〜３０重量％、残りが水であることを特徴とする吸収液にある。
【００１３】
第６の発明は、第５の発明において、二種のアミン化合物が、第１の副成分として１級のアミノ基を持つ直鎖又は環状のアミン化合物を用い、その割合が１５〜５重量％、第２の副成分として２級のアミノ基を持つ直鎖又は環状のアミン化合物から選ばれる二種のアミン化合物を用い、その割合が１０〜１重量％、残りが水であることを特徴とする吸収液にある。
【００１４】
第７の発明は、第５又は６の発明において、二種のアミン化合物が、ピペラジン（Ｐ）、メチルピペラジン（ＭＰ）、ヒドロキシエチルピペラジン(ＨＥＰ)、モノエタノールアミン（ＭＥＡ）、ジエタノールアミン（ＤＥＡ）、ジイソプロパノールアミン（ＤＩＰＡ）、ジグリコールアミン（ＤＧＡ）、３−アミノ−１−プロパノール（ＡＰ）、２−アミノ２−メチルプロパノール（ＡＭＰ）、２−メチルアミノエタノール（ＭＡＥ）、２−エチルアミノエタノール（ＥＡＥ）、２−ｎ−プロピルアミノエタノール（ｎ−ＰＡＥ）、２−ｎ−ブチルアミノエタノール（ｎ−ＢＡＥ）、２−イソプロピルアミノエタノール(ｉ−ＰＡＥ)、２−イソブチルアミノエタノール（ｉ-ＢＡＥ）、１−（２−アミノエチル）ピペラジン（ＡＥＰＲＺ）、ピペリジノール（ＰＤＮ）のいずれかより選ばれる二種であることを特徴とする吸収液にある。
【００１５】
第８の発明は、ＣＯ2又はＨ2Ｓを含有するガスと吸収液とを接触させて前記ＣＯ2又はＨ2Ｓを除去する吸収塔と、ＣＯ2又はＨ2Ｓを吸収した溶液を再生する再生塔と、前記再生塔でＣＯ2又はＨ2Ｓを除去して再生した溶液を前記吸収塔で再利用するガス中のＣＯ2又はＨ2Ｓ除去装置であって、第１乃至６のいずれか一つの吸収液を用いてなることを特徴とするＣＯ2又はＨ2Ｓ除去装置にある。
【００１６】
第９の発明は、ＣＯ2又はＨ2Ｓを含有するガスと吸収液とを接触させて前記ＣＯ2又はＨ2Ｓを除去する吸収塔と、ＣＯ2又はＨ2Ｓを吸収した溶液を再生する再生塔と、前記再生塔でＣＯ2又はＨ2Ｓを除去して再生した溶液を前記吸収塔で再利用するガス中のＣＯ2又はＨ2Ｓ除去方法であって、第１乃至６のいずれか一つの吸収液を用いてなることを特徴とするＣＯ2又はＨ2Ｓ除去方法にある。
【００１７】
ここで、前記ＣＯ2又はＨ2Ｓを含有するガスは燃焼設備（例えばボイラ等）の燃焼排ガスとするのが特に好ましい。
【発明の効果】
【００１８】
本発明によれば、ガス中のＣＯ2又はＨ2Ｓ又はその双方を吸収するアミン化合物として、１級のアミノ基を持つ直鎖又は環状のアミン化合物、２級のアミノ基を持つ直鎖又は環状のアミン化合物の内から選択される三種以上のアミン化合物を含むものとすることにより、優れたＣＯ2又はＨ2Ｓ除去性能を有するものとなる。
【発明を実施するための最良の形態】
【００１９】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【００２０】
［発明の実施形態］
本発明にかかる吸収液は、例えば火力発電所等の動力発生設備から排出される排ガス（以下、「ガス」という）中のＣＯ2又はＨ2Ｓを吸収する吸収液が、１級のアミノ基を持つ直鎖又は環状のアミン化合物、２級のアミノ基を持つ直鎖又は環状のアミン化合物の内から選択される三種以上のアミン化合物を含むものである。
ここで、前記１級のアミノ基を持つ直鎖又は環状のアミン化合物としては、例えばモノn-ブチルアミン（ＭＢＡ）、モノエチルアミン（ＭＥＡ）、n−プロパノールアミン（ＮＰＡ）、２−アミノ２−メチルプロパノール（ＡＭＰ）、ジグリコールアミン（ＤＧＡ）等を例示することができる。
【００２１】
また、前記２級のアミノ基を持つ直鎖又は環状のアミン化合物としては、例えば２−メチルアミノエタノール（ＭＡＥ）、２−エチルアミノエタノール（ＥＡＥ）、２−ｎ−プロピルアミノエタノール(ｎ−ＰＡＥ)、２−ｎ−ブチルアミノエタノール（ｎ−ＢＡＥ）、２−イソプロピルアミノエタノール（ｉ−ＰＡＥ）、２−イソブチルアミノエタノール（i-ＢＡＥ）、ピペラジン（Ｐ）、２−メチルピペラジン（ＭＰ）、１−（２−アミノエチル）ピペラジン（ＡＥＰＲＺ）、ピペリジノール（ＰＤＮ）を例示することができる。
【００２２】
ここで、前記三種のアミン化合物としては、１級のアミノ基を持つ直鎖のアミン化合物、２級のアミノ基を持つ直鎖のアミン化合物から選ばれる二種のアミン化合物と、１級又は２級のアミノ基を持つ環状のアミン化合物とを含むことがより好ましい。
また、更には１級のアミノ基を持つ直鎖のアミン化合物から選ばれる一つの化合物、２級のアミノ基を持つ直鎖のアミン化合物から選ばれる一つの化合物からなる二種のアミン化合物と、１級又は２級のアミノ基を持つ環状のアミン化合物とを含むことがより好ましい。
【００２３】
また、前記三種のアミン化合物としては、更に、更に２級のアミノ基を持つ直鎖のアミン化合物とから選ばれる二種のアミン化合物と、１級又は２級のアミノ基を持つ環状のアミン化合物とを含むものとすることがより好ましい。
【００２４】
ここで、特に好ましい組み合わせとしては、１級のアミノ基を持つ直鎖のアミン化合物としてＭＥＡとＡＭＰ、２級のアミノ基を持つ直鎖のアミン化合物として、ＭＡＥとＥＡＥとＢＡＥ、１級又は２級のアミノ基を持つ環状のアミン化合物としてＰとＭＰとＡＥＰＲＺから選ばれる組合せが好ましい。
【００２５】
ここで、前記三種のアミン化合物の配合割合としては、主成分として２−ｎ−ブチルアミノエタノール（ｎ−ＢＡＥ）又は２−エチルアミノエタノール（ＥＡＥ）を用い、その割合が３０〜５５重量％、副成分として１級のアミノ基を持つ直鎖又は環状のアミン化合物、２級のアミノ基を持つ直鎖又は環状のアミン化合物から選ばれる二種のアミン化合物を用い、その割合が１〜３０重量％、残りが水であることが好ましい。
また、主成分として例えばＭＥＡ（１級アミン化合物）、ＡＭＰ（１級アミン化合物）とＭＡＥ（２級アミン化合物）を用いてもよい。また、副成分としてもＭＥＡ、ＡＭＰ等を用いるようにするのが好ましい。
【００２６】
また、前記副成分の二種のアミン化合物が、第１の副生分と第２の副成分とからなり、第１の副成分として１級のアミノ基を持つ直鎖又は環状のアミン化合物を用い、その割合が１５〜５重量％、第２の副成分として２級のアミノ基を持つ直鎖又は環状のアミン化合物から選ばれる二種のアミン化合物を用い、その割合が１０〜１重量％、残りが水であることが好ましい。
【００２７】
ここで、前記二種のアミン化合物としては、例えば二種のアミン化合物が、ピペラジン（Ｐ）、メチルピペラジン（ＭＰ）、ヒドロキシエチルピペラジン(ＨＥＰ)、モノエタノールアミン（ＭＥＡ）、ジエタノールアミン（ＤＥＡ）、ジイソプロパノールアミン（ＤＩＰＡ）、ジグリコールアミン（ＤＧＡ）、３−アミノ−１−プロパノール（ＡＰ）、２−アミノ２−メチルプロパノール（ＡＭＰ）、２−メチルアミノエタノール（ＭＡＥ）、２−エチルアミノエタノール（ＥＡＥ）、２−ｎ−プロピルアミノエタノール（ｎ−ＰＡＥ）、２−ｎ−ブチルアミノエタノール（ｎ−ＢＡＥ）、２−イソプロピルアミノエタノール(ｉ−ＰＡＥ)、２−イソブチルアミノエタノール（ｉ-ＢＡＥ）、１−（２−アミノエチル）ピペラジン（ＡＥＰＲＺ）、ピペリジノール（ＰＤＮ）のいずれかより選ばれる二種であることが好ましい。
【００２８】
ここで、主成分として、２−エチルアミノエタノール（ＥＡＥ）を用いた場合に、副成分としてピペラジン（Ｐ）、１−（２−アミノエチル）ピペラジン（ＡＥＰＲＺ）、メチルピペラジン（ＭＰ）、２−アミノ２−メチルプロパノール（ＡＭＰ）、ピペリジノール（ＰＤＮ）のいずれか２種とすることが特に好ましい。
【００２９】
ここで、主成分として、２−エチルアミノエタノール（ＥＡＥ）を用いた場合に、副成分としてピペラジン（Ｐ）、１−（２−アミノエチル）ピペラジン（ＡＥＰＲＺ）、２−アミノ２−メチルプロパノール（ＡＭＰ）のいずれか２種とすることが特に好ましい。
【００３０】
一方、アミン以外の成分は、通常、水であるが、他の溶媒でも良く、またそれらの混合物でも良い。さらに、必要に応じて腐食防止剤、劣化防止剤などが加えられる。
【００３１】
本発明において、ガスとの接触時の吸収液の温度は、通常３０〜７０℃の範囲である。
【００３２】
本発明が適用できるガス条件は、全圧が大気圧近傍でＣＯ2濃度が１０％のものに代表されるが、これに限定されるものではない。
【００３３】
本発明により処理されるガスとしては、例えば石炭ガス化ガス、合成ガス、コークス炉ガス、石油ガス、天然ガス等を挙げることができるが、これらに限定されるものではなく、ＣＯ2又はＨ2Ｓ等の酸性ガスを含むガスであれば、いずれのガスでもよい。
【００３４】
本発明のガス中のＣＯ2又はＨ2Ｓ又はその双方を除去する方法で採用できるプロセスは、特に限定されないが、ＣＯ2を除去する除去装置の一例について図１を参照しつつ説明する。
【００３５】
図１はＣＯ2除去装置の概略図である。図１に示すように、ガスは、ＣＯ2含有ガス供給口４を通って、吸収塔１へ導かれる。吸収塔１に押し込められた該ガスは、ノズル７から供給されるＣＯ2吸収液と充填部２で向流接触させられ、ガス中のＣＯ2は、吸収液により吸収除去され、ガスは、脱ＣＯ2ガス排出口５から排出される。吸収塔１に供給される吸収液は、ＣＯ2を吸収し、熱交換器１４、加熱器８に送られ、加熱されて再生塔１５に送られる。該再生塔１５では、吸収液は、ノズル１６より充填部１７を経て、下部に流れる。この間にＣＯ2が脱離して吸収液が再生する。再生した吸収液は、ポンプ９によって熱交換器１４、吸収液冷却器２６を経て、吸収液供給口６から吸収塔１に戻される。一方、再生塔１５の上部において、吸収液から分離されたＣＯ2は、ノズル１８から供給される還流水と接触し、再生塔還流冷却器２３により冷却され、還流ドラム２１にてＣＯ2に同伴した水蒸気が凝縮した還流水と分離し、回収ＣＯ2ライン２２よりＣＯ2回収工程に導かれる。還流水は、還流水ポンプ２０で再生塔１５に送られる。なお、この実施の形態では、あくまでその概要を説明するものであり、付属する機器を一部省略して説明している。
【００３６】
本発明にかかる吸収液を上述したＣＯ2除去装置の吸収液として用いることにより、効率的なＣＯ2の吸収除去を行うことができる。
【実施例】
【００３７】
以下、実施例に基づき、本発明についてさらに詳細に説明する。
本実施例では、表１に示すように、主成分として、２−ｎ−ブチルアミノエタノール（ｎ−ＢＡＥ）を用いた場合には、副成分としてピペラジン（Ｐ）、１−（２−アミノエチル）ピペラジン（ＡＥＰＲＺ）、メチルピペラジン（ＭＰ）、２−アミノ２−メチルプロパノール（ＡＭＰ）、ピペリジノール（ＰＤＮ）のいずれか２種として吸収液を各々作成した。
【００３８】
また、表１に示すように、主成分として、２−エチルアミノエタノール（ＥＡＥ）を用いた場合には、副成分としてピペラジン（Ｐ）、１−（２−アミノエチル）ピペラジン（ＡＥＰＲＺ）、２−アミノ２−メチルプロパノール（ＡＭＰ）のいずれか２種として各々吸収液を作成した。
【００３９】
比較例としては、２成分系の２−エチルアミノエタノール（ＥＡＥ）と１−（２−アミノエチル）ピペラジン（ＡＥＰＲＺ）との組合せ（比較例１）、ジエタノールアミン（ＤＥＡ）とピペラジン（Ｐ）との組合せ（比較例２）及び３級アミンを用いて３成分系としたヒドロキシエチルピペラジン（ＨＥＰ）とピペラジン（Ｐ）とメチルジエタノールアミン（ＭＤＥＡ）との組合せ（比較例３）として吸収液を作成した。
表中の括弧書きの数字は重量％である。
【００４０】
また、表中、第２欄の「１．４Ｍあたりのモル含有量」を、重量％の比率をＭ（モル／リットル）換算したものであり、各成分を合計すると１．４Ｍとなるようにした。
また、表中、第３欄の「含有量相当分の単体性能」は、１．４Ｍの単体性能÷１．４×モル含有量である。
また、表中、第４欄の「線形予測」は各成分の含有量相当分の単体性能の和であり、相互作用がない場合である。
また、表中、第６欄の「相乗効果」は、混合液の実測−線形予測を量的な相乗効果とし、相乗効果量÷線形予測×１００を相乗効果（％）とした。
【００４１】
＜試験の内容＞
吸収液とＣＯ2との正確な反応速度を求めるために、槽内に攪拌羽根を設けた平面接触攪拌型試験装置（内径：１１．５ｃｍ、気体接触面積：９１．６１ｃｍ2、湯浴温度：２５℃）を用い、各吸収液について、一定速度の一定のアミン濃度における各々気相ＣＯ2分圧を変化させた場合の吸収速度について測定を行なった。
ＣＯ2濃度分析は赤外線型ＣＯ2分析装置を用いた。
その結果を反応速度定数（ｍ3／ｋｍｏｌ.ｓ）の平方根でみた混合系の相乗効果として表１に示す。
【００４２】
【表１】
2008307519.tif 000003
【００４３】
表１に示すように、試験例１〜９のいずれも線形予測では約５５以上であり、混合液の実測は全てにおいて線形予測を大幅な向上となり、三成分系とした相乗効果を確認することができた。
一方、比較例１については線形予測が約７０であったが、混合液実績が伸びず、相乗効果を得ることができなかった。
また、比較例２及び比較例３は線形予測が３０以下であるので、相乗効果が期待できなかった。
【００４４】
表１中、特に試験例３のｎ−ＢＡＥとＰとＡＭＰとの組合せからなる３成分系の吸収液に大幅な相乗効果が発揮できることが確認された。また、Ｐの代わりにＭＰ又はＡＥＰＲＺを用いる場合も良好であった。
【産業上の利用可能性】
【００４５】
以上のように、本発明にかかる吸収液によれば、ＣＯ2の吸収速度の向上を図ることができ、大量のボイラ排ガス中に微量に含まれるＣＯ2を効率良く吸収することができ、各種ボイラ等のプラント設備の排ガス処理に用いて適している。
【図面の簡単な説明】
【００４６】
【図１】ＣＯ2除去装置の概略図である。
【符号の説明】
【００４７】
１  吸収塔
１５  再生塔
【図１】
2008307519.tif 000004